(57)【要約】【課題】  しおりを有しない書籍において、各頁の前小口の部分を改良することにより、読みかけの頁を一時的に閉じても直に開きうるようにした構造を提供する。【解決手段】  文庫版や新書判などのパーパーバックスタイプの書籍１において、表紙と見返しと目次と奥付きの部分を除いた本文中の各頁４の前小口部分に相当する側辺２の内側の印刷部６と側辺２の間の側辺寄り部分に、頂点を印刷部６側に向けた半円状または三角状のミシン目３を、側辺２の内側で上下の間の中央位置の一箇所に有し、このミシン目３を切り離して切込み３ａに形成可能とし、見開きの読みかけの頁４ａのミシン目３を切って形成した切込み３ａに反対側の頁４ｂの側辺２を差し込み係止することで、書籍１を閉じた際に読みかけの頁４ａの目印としたしおり機能付き書籍１。【選択図】      図１
0003155698.tif 000002
【実用新案登録請求の範囲】
【請求項１】
文庫版や新書判などのパーパーバックスタイプの書籍（１）において、表紙と見返しと目次と奥付きの部分を除いた本文中の各頁（４）の、前小口部分に相当する側辺（２）の内側の印刷部（６）と側辺（２）の間の側辺寄り部分に、頂点を印刷部（６）側に向けた半円状または三角状のミシン目（３）を、側辺（２）の内側で上下の間の中央位置の一箇所に有し、このミシン目（３）を切り離して切込み（３ａ）に形成可能とし、形成した切込み（３ａ）に見開きの読みかけの頁（４ａ）の反対側の頁（４ｂ）の側辺（２）を差し込むことにより、差し込んだ反対側の頁（４ｂ）がやや円弧状に盛り上がり突っ張るようになることにより書籍（１）を閉じた際に読みかけの頁（４ａ）の目印としたことを特徴とするしおり機能付き書籍（１）。
【請求項２】
頂点を印刷部（６）側に向けた半円状または三角状のミシン目（３）は上下の中央位置の（１）箇所に替えて側辺（２）の内側の印刷部（６）と側辺（２）の間の上部と下部の２箇所あるいは上中下部の３箇所に配設されていること特徴とする請求項１に記載のしおり機能付き書籍（１）。
【考案の詳細な説明】
【技術分野】
【０００１】
本考案は、紐状のしおりが背の閉じ部上端に付いていない新書版や文庫版などのペーパーバックスの書籍において、それら書籍の各頁にクリップ機能をする形状のミシン目を設け、一寸した急用時に書籍の読みかけの頁のミシン目を切ってクリップ部を形成し、このクリップ部に当該頁を挟んで書籍を閉じ、急用終了時に当該読みかけ頁を即座に開きうるものとした構造を有する書籍に関する。
【背景技術】
【０００２】
紐状のしおりが背の部分に設けられていない書籍において、読書中に読みかけの頁で本を閉じたい場合、通常はその書籍に有する紐状のしおりを使用するか、紐状のしおりを有しない書籍では、この書籍とは別体である小紙片からなるしおりを、読みかけの頁に挿入して、その頁の部分の目印として、本を閉じることが多い。
【０００３】
ところで、パーパーバックスなどの書籍の中には、紐状のしおりが付属していないものも多数あり、また、小紙片からなるしおりが手元に無い場合もある。
【０００４】
このような場合、仕方なくドッグイヤーと呼ばれるように頁の角部を折り曲げ、犬の耳状に書籍から突出させるなどしている。しかし、このドッグイヤーは書籍を痛めて見苦しくする問題がある。
【０００５】
そこで、帳面や書籍において、見出しや付箋を帳面や書籍そのものに付属させて、必要な時に切り離して当該の帳面や書籍に付箋として、必要な頁に挟み込むものが提案されている（例えば、特許文献１参照。）。しかし、この切り取って挟み込むものでは、切り取る煩雑さに加えて、切り取った付箋を紛失して使用できなくこともある。さらに、折り返して形成する見出しを帳面や書籍の各頁に設けるもの（例えば、特許文献２参照。）や（例えば、特許文献３参照。）、あるいは、これらと同様に折り返して見出しとするものと、切り離し用とした見出しを特定の頁に設けて切り離し、必要頁に挟持可能としたもの（例えば、特許文献４参照。）がある。しかし、これらのものは、いずれも折り返したり切り離したりするものであり、これらの帳面や書籍自体を痛めて見苦しくする。
【０００６】
考案者は、上記の各特許文献１〜４に記載の発明や考案が、付箋として張り付けたり、あるいは当該頁の一部を切って折り返すことで、帳面や書籍自体を痛めて見苦しくする点を解消するものとして、紐状のしおりが付属していない書籍において、簡便でかつ書籍を痛めないしおり機能として、当該頁の前小口の部分に前頁の前小口を差し込むための背側方向に開いた切欠きを設け、この切欠きに前頁の前小口の側辺を差し込んで当該頁の部分を少し開けた状態に保持して読みかけ部分を一目瞭然のものとし、直ぐに当該頁を開け得るものとした考案をしている（例えば、特許文献５参照。）。しかし、このものは、当該頁の前小口の部分に設けた切欠きを通常の読書時に手指などでうっかりと引っ掛け、当該頁の前小口の部分を破く恐れがあった。
【先行技術文献】
【特許文献】
【０００７】
【特許文献１】特開平９−３００８５４号公報
【特許文献２】実開平５−７２４７７号公報
【特許文献３】特開平９−７１０６５号公報
【特許文献４】特開２００５−１３５１号公報
【特許文献５】実用新案登録第３１２３７４５号公報
【考案の概要】
【考案が解決しようとする課題】
【０００８】
本考案が解決しようとする課題は、本考案者が考案した上記の特許文献５である書籍の読みかけの頁を急な所要で中座のために一時的に閉じ、所要後に再びその読みかけの頁を容易に直ちに開けるために書籍の各頁の前小口の部分に設けた切欠きに替えて、通常の読書時にうっかりと切欠きに手指などを引っ掛けて当該頁の前小口の部分を破く事態を生じない、各頁の前小口の部分の改良した構造を提供することである。
【課題を解決するための手段】
【０００９】
上記の課題を解決しようとする本考案の手段は、請求項１の手段では、文庫版や新書判などのパーパーバックスタイプの書籍１において、表紙と見返しと目次と奥付きの部分を除いた本文中の各頁４の前小口部分に相当する側辺２の内側の印刷部６と側辺２の間の側辺寄り部分に、頂点を印刷部６側に向けた半円状または三角状のミシン目３を、側辺２の内側で上下の間の中央位置の一箇所に有し、このミシン目３を切り離して切込み３ａに形成可能とし、形成した切込み３ａに見開きの読みかけの頁４ａの反対側の頁４ｂの側辺２を差し込むことにより、差し込んだ反対側の頁４ｂがやや円弧状に盛り上がり突っ張るようになることにより書籍１を閉じた際に読みかけの頁４ａの目印としたことを特徴とするしおり機能付き書籍１である。
【００１０】
請求項２の手段では、頂点を印刷部６側に向けた半円状または三角状のミシン目３は上下の中央位置の１箇所に替えて側辺２の内側の印刷部６と側辺２の間の上部と下部の２箇所あるいは上中下部の３箇所に配設されていること特徴とする請求項１の手段のしおり機能付き書籍１である。
【考案の効果】
【００１１】
本考案の各頁に有するミシン目は読みかけの頁のミシン目を切り離したものだけが切込みとなって、その切込みを有する頁の見開きの反対側の頁の側辺を差し込みできる状態となり、これらの頁以外のところでは、切込みが形成されていないので、形成された切込みに指先その他をうっかりと引っかけ、当該頁を毀損することが無く、形成した切込みに見開きの読みかけの頁の反対側の頁の側辺を差し込むことにより、読みかけの頁の目印とすることができるので、読みかけの頁を即座に開くことができる。
【００１２】
この場合、ミシン目を各頁の側辺の上部と下部の２箇所あるいは上中下部の３箇所に配設したものでは、切込みに形成して見開きの反対側の頁をこの上部と下部の２箇所あるいは上中下部の３箇所に差し込むことにより、差し込んだ側辺の頁が全て外れてしまうことが無くなる。
【００１３】
本考案は、以上のようにしたことで、書籍を傷つけにくくしながら、紐状や独立した紙製のしおりの無いペーパーバックスなどに、しおり機能を付与して読みかけの頁に容易に戻ることができる効果を有するものである。
【図面の簡単な説明】
【００１４】
【図１】本考案のしおり機能となるミシン目を側辺の中央部に有する書籍の本文頁の開いた状態を示す図である。
【図２】読みかけの頁のミシン目を切り離してこの部分に当該見開きの頁の反対側の頁の側辺を差し込み目印とした上で閉じた状態を示す図である。
【図３】本考案のしおり機能となるミシン目を側辺の上中下部に有する書籍の本文頁の開いた状態を示す図である。
【図４】本考案のしおり機能となるミシン目から形成の切込みを折り返した状態を示す図である。
【考案を実施するための形態】
【００１５】
以下、本考案の実施の形態を添付図面を参照して説明する。図１は本考案に係るしおり機能付き書籍１の本文の頁４を開いた図である。図２は本考案に係るしおり機能付き書籍１の本文の頁４に目印を付して閉じた状態を閉めす図である。図３は本考案に係るしおり機能付き書籍１のミシン目３および切込み３ａを見開きの本文の頁４の左右の側辺２の内側の印刷部６と側辺２の間の上中下部の３箇所に設けた状態を示す図である。図４は本考案に係るおり機能付き書籍１のミシン目３からなる切込み３ａを従来の手段における折り返し片５と同ように用いた状態を示す図である。
【００１６】
本考案に係るしおり機能付き書籍１は、請求項１に係る考案の手段では、表紙と見返しと目次と奥付きの部分を除いた本文中のそれぞれの頁４に、図１の見開きの右側のページに示すように、側辺２の前小口部分の無印刷部に、側辺２から少し間隔を空けて、半円形のミシン目３の先端を左側の印刷部６に向けた状態として、側辺２の上下の中央位置の１箇所に形成する。なお、図１の中央下部に示す符合７は書籍１の背の部分を示している。
【００１７】
このように本文中のそれぞれの頁４にミシン目３を有する書籍１の読書中に、ちょっと席を外すために、読みかけの書籍１をテーブルなどの上に置く際に、読みかけの頁４ａが直ぐに開けるようにして席を立ちたい。そのような場合、図１の左頁のように、読みかけの頁４ａのミシン目３を切って、切込み３ａに形成し、この切込み３ａに、図１の左頁の反対側の頁４ｂの側辺２を、図２に示すように、差し込んで係止する。この差し込んで係止することにより、指し込んだ反対側の頁４ｂがやや盛り上がって突っ張るようになり、当該読みかけの頁４ａの部分に空間が形成されるため、図２のように、書籍１を閉じた際に、その部分が当該読みかけの頁４ａの目印となる。そこで、所用を済まして席に戻った際に、当該読みかけの頁４ａを即座に開いて続きを読み続けることができる。上記のような所用の無い場合は、ミシン目３を切って切込み３ａを形成することなく、当該頁４を読み続ける。したがって、このような場合は、切込み３ａが形成されておらずミシン目３のままで切込み３ａが無いので、誤って切込み３ａに指先を引っかけて書籍１を毀損するようなことも無い。
【００１８】
次いで、請求項２に係る考案の手段では、図３に見開きの頁４に示すように、見開きの左右の頁４の側辺２の前小口部分の無印刷部に、側辺２から少し間隔を空けて、それぞれの頁４の上部と中部と下部の３箇所に半円形のミシン目３の先端を左側の印刷部６に向けた状態としてミシン目３を形成する。
【００１９】
この場合も、書籍１の読書中に、ちょっと席を外すため読みかけの書籍１をテーブルなどの上に置く際に、所用が済むと読みかけの頁４ａが直ぐに開けるようするめに、図３に示すように、左側の読みかけの頁４ａの側辺２の上部と中部と下部の３箇所に設けられたミシン目３を切って切込み３ａを形成する。この形成した左側の読みかけの頁４ａの切込み３ａに、上部と中部と下部の３箇所にミシン目３を有する見開きの右側の反対側の頁４ｂの側辺２を差し込み係止する。この差し込み係止により、上記の側辺２の前小口部分の中央に１箇所切込み３ａを有するものよりも当該の上中下部に３箇所切込み３ａを有する方が読みかけの頁４ａが確実に係止でき、図２と同様に指し込んだ反対側の頁４ｂが円弧状に盛り上がって突っ張り、係止がより外れにくくなる。
【００２０】
さらに、図４に示すように、ミシン目３を切って設けた切込み３ａを当該頁４の側辺２より外側に向けて折り返して折り返し片５とすることにより、折り返し片５の一部が書籍１の前小口の側辺２から飛び出すようになるので、付箋を付したように使用することもできる。しかし、この場合は、折り返し片５を目印として前小口の側辺２から外に露出させるためには、切込み３を折り返し部を側辺２に近づける必要がある。しかし、近づけすぎると、切込み３からなる折り返し片５が当該頁４から破れて千切れ易くなり、書籍１を痛めることとなる。したがって、折り返し片５としての使用は本考案ではあまり推薦するものではない。しかし、長期間にわたり書籍１を閉じる場合、あるいは、鞄などに収納する場合に折り返し片とすることは便利なこともあるので、この場合は千切れないように注意して使用するものとする。
【符号の説明】
【００２１】
１  書籍
２  側辺
３  ミシン目
３ａ  切込み
４  頁
４ａ  読みかけの頁
４ｂ  反対側の頁
５  折り返し片
６  印刷部
７  背
【図１】
0003155698.tif 000003
【図２】
0003155698.tif 000004
【図３】
0003155698.tif 000005
【図４】
0003155698.tif 000006